(57)【要約】【課題】地域のそれぞれに関する情報の提示に際して、利用者の利便性を向上させる。【解決手段】可搬型情報処理装置１０が備える処理制御ユニット１１が、ベース装置２０と当該可搬型情報処理装置１０とが通信している状態で、利用者により指定されたベース装置２０が備える地図体２１上の位置に対応した情報を取得した場合に、取得した情報に基づいて、当該指定された地図体２１上の地図位置を中央部付近とする地図表示を含む表示画像へ遷移させる制御を行う。この後は、例えば、利用者が、地図表示を含む表示画像に表示されたメニュー一覧の中から所望のメニューを選択する。この結果、当該所望のメニューに応じて、指定された地図体２１上の位置に対応した地域の特徴的なコンテンツの情報が画像を含む態様により、利用者に提示される。【選択図】図２
2020101656.tif 000002
【特許請求の範囲】
【請求項１】
地域地図が表された地図体と、ベース装置と、前記ベース装置と通信可能な可搬型情報処理装置とを備える情報提示システムであって、
前記可搬型情報処理装置は、
地図表示情報、並びに、地域のそれぞれに関連付けて地域のそれぞれの特徴的なコンテンツの情報が記憶された記憶ユニットと、
画像を表示する表示ユニットと、
前記表示ユニットにおける表示画像を、前記記憶ユニット内の記憶内容を参照しつつ制御する制御ユニットと、を備え、
前記制御ユニットは、
前記ベース装置と前記可搬型情報処理装置とが通信している状態で、利用者により指定された前記地図体上の位置に対応した情報を取得した場合に、前記取得した情報に基づいて、前記指定された地図体上の地図位置を中央部付近とする地図表示を含む表示画像へ遷移させる制御と、
前記ベース装置と前記可搬型情報処理装置とが通信しているか否かにかかわらず、前記表示ユニットにおける表示地図上の地図位置が利用者により指定された場合に、前記指定された表示地図上の地図位置を中央部付近とする地図表示を含む表示画像へ遷移させる制御と、を行う、
ことを特徴とする情報提示システム。
【請求項２】
前記可搬型情報処理装置は、利用者が選択した地域に関連する新たなコンテンツの情報を収集する収集ユニット、を更に備え、
前記制御ユニットは、前記新たなコンテンツの情報を、対応する地域の特徴的なコンテンツの情報として、前記記憶ユニット内に追加登録する制御を更に行う、
ことを特徴とする請求項１に記載の情報提示システム。
【請求項３】
前記地図体の表面には、地域地図表示と、予め定められた格子密度で前記地図体の表面に配置され、格子配置位置に対応する情報の表示とが印刷されており、
前記ベース装置は、利用者が選択した前記地図体の表面の位置の近傍の情報を読み取り、前記読み取られた情報を前記可搬型情報処理装置へ向けて出力する情報読取ユニットを備える、
ことを特徴とする請求項１又は２に記載の情報提示システム。
【請求項４】
前記地図体は球状に構成され、
前記地図体には、前記地域として国及びその他の地域が表示され、
前記ベース装置は、前記地図体の回転位置を検出する回転位置検出ユニット、を更に備え、
前記制御ユニットは、地球半球地図表示時には、前記回転位置検出ユニットによる検出結果に応じた地球半球地図を前記表示ユニットに表示させる制御を行う、
ことを特徴とする請求項１〜３のいずれか一項に記載の情報提示システム。
【請求項５】
前記ベース装置は、前記地図体を回転駆動する回転駆動ユニット、を更に備え、
前記制御ユニットは、前記表示ユニットにおける表示地図上の位置が利用者により指定されると、前記指定された表示地図上の位置に対応する前記地図体上の位置が、想定される利用者の視野内に入る回転位置とさせる制御を前記ベース装置に対して行い、
前記ベース装置では、前記回転駆動ユニットを利用して、前記地図体の回転位置を回転駆動する、
ことを特徴とする請求項４に記載の情報提示システム。
【請求項６】
地域地図が表された球状の地図体と、ベース装置と、前記ベース装置と通信可能な可搬型情報処理装置とを備え、前記可搬型情報処理装置が、地図表示情報、並びに、地域のそれぞれに関連付けて地域のそれぞれの特徴的なコンテンツの情報が記憶された記憶ユニットと、画像を表示する表示ユニットと、前記表示ユニットにおける表示画像を、前記記憶ユニット内の記憶内容を参照しつつ制御する制御ユニットと、を備える情報提示システムにおいて使用される情報提示方法であって、
前記制御ユニットが、前記ベース装置と前記可搬型情報処理装置とが通信している状態で、利用者により指定された前記地図体上の位置に対応した情報を取得した場合に、前記取得した情報に基づいて、前記指定された地図体上の地図位置を中央部付近とする地図表示を含む表示画像へ遷移させる第１制御工程と、
前記制御ユニットが、前記ベース装置と前記可搬型情報処理装置とが通信しているか否かにかかわらず、前記表示ユニットにおける表示地図上の地図位置が利用者により指定された場合に、前記指定された表示地図上の地図位置を中央部付近とする地図表示を含む表示画像へ遷移させる第２制御工程と、
を備えることを特徴とする情報提示方法。
【発明の詳細な説明】
【技術分野】
【０００１】
本発明は、情報提示システム及び情報提示方法に関する。
【背景技術】
【０００２】
従来から、地図上の任意の場所を指示すると、指示した場所に関する情報が、利用者に提示される技術が提案されている。こうした提案技術の一つとして、指示した場所に対応する国等に関する情報を、音声で利用者に提示する技術がある（特許文献１参照、以下、「従来例」という）。
【０００３】
かかる従来例の技術における一態様では、球状の地図体の表面に、（ａ）可視的な世界地図と、（ｂ）当該世界地図の視認性を損なわない態様の２次元コードが、当該地図体の表面に所定密度で印刷されている。こうした２次元コードのそれぞれには、印刷位置に対応する国又は地域の国等に関する情報が表現されている。
【０００４】
そして、２次元コードの読取ユニットとしての機能を有する指示手段（２次元コードの読取ユニット：従来例ではペン型デバイス）を利用して、利用者の指定した世界地図上の位置に対応する２次元コードを読み取ると、読み取られた２次元コードにより表現された情報を音声出力手段へ送る。当該情報を受けると、音声出力手段が、当該情報を音声の態様で出力するようになっている。
【０００５】
なお、２次元コードにより表現された情報に含まれる複数種類の情報の中からどの種類の情報を利用者に提示するかは、メニュー選択されるようになっている。
【先行技術文献】
【特許文献】
【０００６】
【特許文献１】特許第３８６３１５５号公報
【発明の概要】
【発明が解決しようとする課題】
【０００７】
上述した従来例の技術では、音声の態様で、利用者の指定した世界地図上の位置に対応して２次元コードで表現された情報を利用者に提示するようになっている。ここで、世界地図上の任意の位置で、対応する２次元コードを読み取れるようにするためには、当該２次元コードのそれぞれが占める面積を大きくすることが必要であるが限界が有り、当該２次元コードのそれぞれで表現できる情報量には限界があった。この結果、利用者に提示される情報にも限界があった。
【０００８】
ところで、国等のそれぞれに関する様々な画像情報を記憶デバイスに記憶しておき、画像を含めた態様で利用者に提示することができれば、利用者に提示できる情報を飛躍的に増やすことができる。こうした情報提示ができれば、利用者にとっての利便性を向上させることができる。
【０００９】
また、従来例の技術では、国等のそれぞれに関する情報を提示するためには、通常の地球儀程度の大きさを有する地図体が必須である。このため、様々な場所で情報の提示をするためには、地図体、指示手段及び音声出力手段の全てを一緒に移動させることが必要であった。これに対し、地図体がある場合ほどの楽しみ方はできなくとも、可搬型の装置のみによっても、国等のそれぞれに関する情報を提示することができれば、利用者にとっての利便性を向上させることができる。
【００１０】
本発明は、上記の事情を鑑みてなされたものであり、地域に関する情報の提示に際して、利用者の利便性を向上させることができる情報提示システム及び情報提示方法を提供することを目的とする。
【課題を解決するための手段】
【００１１】
第１の手段は、地域地図が表された地図体と、ベース装置と、前記ベース装置と通信可能な可搬型情報処理装置とを備える情報提示システムであって、前記可搬型情報処理装置は、地図表示情報、並びに、地域のそれぞれに関連付けて地域のそれぞれの特徴的なコンテンツの情報が記憶された記憶ユニットと、画像を表示する表示ユニットと、前記表示ユニットにおける表示画像を、前記記憶ユニット内の記憶内容を参照しつつ制御する制御ユニットと、を備え、前記制御ユニットは、前記ベース装置と前記可搬型情報処理装置とが通信している状態で、利用者により指定された前記地図体上の位置に対応した情報を取得した場合に、前記取得した情報に基づいて、前記指定された地図体上の地図位置を中央部付近とする地図表示を含む表示画像へ遷移させる制御と、前記ベース装置と前記可搬型情報処理装置とが通信しているか否かにかかわらず、前記表示ユニットにおける表示地図上の地図位置が利用者により指定された場合に、前記指定された表示地図上の地図位置を中央部付近とする地図表示を含む表示画像へ遷移させる制御と、を行う、ことを特徴とする情報提示システムである。
ここで、「通信」のための接続のタイプは、無線、有線、電気接触（例えば、携帯電話のクレードル式充電器等）のいずれのタイプであってもよい。なお、「地域」とは、国、未承認国、地方公共団体、地方、海、山等、同じ性質をもっているなどの理由からひとまとめにされる土地や海等をいう。
【００１２】
第２の手段は、第１の手段において、前記可搬型情報処理装置は、利用者が選択した地域地図に関連する新たなコンテンツの情報を収集する収集ユニット、を更に備え、前記制御ユニットは、前記新たなコンテンツの情報を、対応する地域の特徴的なコンテンツの情報として、前記記憶ユニット内に追加登録する制御を更に行う、ことを特徴とする。
【００１３】
第３の手段は、第１の手段又は第２の手段において、前記地図体の表面には、地域地図表示と、予め定められた格子密度で前記地図体の表面に配置され、格子配置位置に対応する情報の表示とが印刷されており、前記ベース装置は、利用者が選択した前記地図体の表面の位置の近傍の情報を読み取り、前記読み取られた情報を前記可搬型情報処理装置へ向けて出力する情報読取ユニットを備える、ことを特徴とする。
【００１４】
第４の手段は、第１の手段から第３の手段のいずれか一の手段において、前記地図体は球状に構成され、前記地図体には、前記地域として国及びその他の地域が表示され、前記ベース装置は、前記地図体の回転位置を検出する回転位置検出ユニット、を更に備え、前記制御ユニットは、地球半球地図表示時には、前記回転位置検出ユニットによる検出結果に応じた地球半球地図を前記表示ユニットに表示させる制御を行う、ことを特徴とする。
【００１５】
第５の手段は、第４の手段において、前記ベース装置は、前記地図体を回転駆動する回転駆動ユニット、を更に備え、前記制御ユニットは、前記表示ユニットにおける表示地図上の位置が利用者により指定されると、前記指定された表示地図上の位置に対応する前記地図体上の位置が、想定される利用者の視野内に入る回転位置とさせる制御を前記ベース装置に対して行い、前記ベース装置では、前記回転駆動ユニットを利用して、前記地図体の回転位置を回転駆動する、ことを特徴とする。
【００１６】
第６の手段は、地域地図が表された球状の地図体と、ベース装置と、前記ベース装置と通信可能な可搬型情報処理装置とを備え、前記可搬型情報処理装置が、地図表示情報、並びに、地域のそれぞれに関連付けて地域のそれぞれの特徴的なコンテンツの情報が記憶された記憶ユニットと、画像を表示する表示ユニットと、前記表示ユニットにおける表示画像を、前記記憶ユニット内の記憶内容を参照しつつ制御する制御ユニットと、を備える情報提示システムにおいて使用される情報提示方法であって、前記制御ユニットが、前記ベース装置と前記可搬型情報処理装置とが通信している状態で、利用者により指定された前記地図体上の位置に対応した情報を取得した場合に、前記取得した情報に基づいて、前記指定された地図体上の地図位置を中央部付近とする地図表示を含む表示画像へ遷移させる第１制御工程と、前記制御ユニットが、前記ベース装置と前記可搬型情報処理装置とが通信しているか否かにかかわらず、前記表示ユニットにおける表示地図上の地図位置が利用者により指定された場合に、前記指定された表示地図上の地図位置を中央部付近とする地図表示を含む表示画像へ遷移させる第２制御工程と、
を備えることを特徴とする情報提示方法である。
【発明の効果】
【００１７】
第１の手段によれば、可搬型情報処理装置が備える制御ユニットが、ベース装置と当該可搬型情報処理装置とが通信している状態で、利用者により指定されたベース装置が備える地図体上の位置に対応した情報を取得した場合に、取得した情報に基づいて、当該指定された地図体上の地図位置を中央部付近とする地図表示を含む表示画像へ遷移させる制御を行う。この後は、例えば、利用者が、地図表示を含む表示画像に表示されたメニュー一覧の中から所望のメニューを選択する。この結果、当該所望のメニューに応じて、指定された地図体上の位置に対応した地域の特徴的なコンテンツの情報の画像を含む態様により、利用者に提示される。
また、制御ユニットが、ベース装置と可搬型情報処理装置とが通信しているか否かにかかわらず、表示ユニットにおける表示地図上の地図位置が利用者により指定された場合に、指定された表示地図上の地図位置を中央部付近とする地図表示を含む表示画像へ遷移させる。この後は、上述した地図体上の位置に対応した情報を取得した場合と同様にして、指定された地図体上の位置に対応した地域の特徴的なコンテンツの情報の画像を含む態様により、利用者に提示される。
したがって、地域のそれぞれに関する情報の提示に際して、利用者の利便性を向上させることができる。
【００１８】
第２の手段によれば、可搬型情報処理装置が、利用者が選択した地域に関連する新たなコンテンツの情報を収集する収集ユニット、を更に備え、制御ユニットは、当該新たなコンテンツの情報を、対応する地域の特徴的なコンテンツの情報として、記憶ユニット内に追加登録する制御を更に行う構成とした場合には、利用者の趣味感に応じて、地域のそれぞれの特徴的なコンテンツの情報を豊富化することができる。この結果、可搬型情報処理装置が可搬式であるが故に、様々な場所で対応する地域の特徴的なコンテンツの情報を収集することにより、収集されたコンテンツの情報を、地図体上又は表示ユニットにおける表示地図上の情報（地域の情報）と関連付けて提示することができる。
なお、収集される情報は、画像情報であってもよいし、楽曲や街中の周囲音等の音声情報であってもよい。
【００１９】
第３の手段によれば、地図体の表面には、地域地図表示と、予め定められた格子密度で地図体の表面に配置され、格子配置位置に対応する情報の表示とが印刷されており、ベース装置が、利用者が選択した地図体の表面の位置の近傍の情報を読み取り、読み取られた情報を可搬型情報処理装置へ向けて出力する情報読取ユニットを備える構成とした場合には、簡易な構成で、利用者が選択した地図体の表面の位置の近傍の情報を可搬型情報処理装置へ送ることができる。
なお、地図体の表面の位置のそれぞれの近傍の情報としては、地域の名称であってもよいし、地域における緯度及び経度であってもよい。
【００２０】
第４の手段によれば、ベース装置が、地図体の回転位置を検出する回転位置検出ユニット、を更に備え、制御ユニットは、地球半球地図表示モードで動作では、回転位置検出ユニットによる検出結果に応じた地球半球地図を表示ユニットに表示させる制御を行う構成とした場合には、地図体の回転に対して、表示ユニットにおける表示画像が有機的に関連付けられるので、利用者の楽しみを広げることができる。
【００２１】
第５の手段によれば、ベース装置が、地図体を回転駆動する回転駆動ユニット、を更に備え、制御ユニットは、表示ユニットにおける表示地図上の位置が利用者により指定されると、当該指定された表示地図上の位置に対応する地図体上の位置が、想定される利用者の視野内に入る回転位置とさせる制御をベース装置に対して行い、ベース装置では、回転駆動ユニットを利用して、地図体の回転位置を回転駆動する構成とした場合には、表示ユニットにおける表示画像に対して、地図体の回転が有機的に関連付けられるので、利用者の楽しみを広げることができる。
【００２２】
第６の手段によれば、可搬型情報処理装置が備える制御ユニットが第１制御工程を実行することにより、ベース装置と当該可搬型情報処理装置とが通信している状態で、利用者により指定されたベース装置が備える地図体上の位置に対応した情報を取得した場合に、取得した情報に基づいて、当該指定された地図体上の地図位置を中央部付近とする地図表示を含む表示画像へ遷移させる制御を行う。この後は、例えば、利用者が、地図表示を含む表示画像に表示されたメニュー一覧の中から所望のメニューを選択する。この結果、当該所望のメニューに応じて、指定された地図体上の位置に対応した地域の特徴的なコンテンツの情報の画像を含む態様により、利用者に提示される。
また、制御ユニットが第２制御工程を実行することにより、ベース装置と可搬型情報処理装置とが通信しているか否かにかかわらず、表示ユニットにおける表示地図上の地図位置が利用者により指定された場合に、指定された表示地図上の地図位置を中央部付近とする地図表示を含む表示画像へ遷移させる。この後は、上述した地図体上の位置に対応した情報を取得した場合と同様にして、指定された地図体上の位置に対応した地域の特徴的なコンテンツの情報の画像を含む態様により、利用者に提示される。
したがって、地域のそれぞれに関する情報の提示に際して、利用者の利便性を向上させることができる。
【図面の簡単な説明】
【００２３】
【図１】本発明の一実施形態に係る情報提示システムの外観を示す図である。
【図２】図１に示される情報提示システムの機能構成を示すブロック構成図である。
【図３】図２の処理制御ユニットが実行する情報提示処理を説明するためのフローチャートである。
【図４】図３の装着時地図表示処理を説明するためのフローチャートである。
【図５】図４の第１地図表示処理を説明するためのフローチャートである。
【図６】図４の第２地図表示処理を説明するためのフローチャートである。
【図７】図５の第１地図表示処理による表示例を示す図である。
【図８】図６の第２地図表示処理による表示例を示す図である。
【図９】図３の装着時コンテンツ提示処理による表示例を示す図である。
【図１０】図３の非装着時地図表示処理を説明するためのフローチャートである。
【図１１】図１０の非装着時地図表示処理により表示される非装着時コンテンツ選択画面の例を示す図である。
【図１２】図３の非装着時コンテンツ提示処理を説明するためのフローチャートである。
【図１３】図１２の非装着時コンテンツ提示処理による表示例を示す図である。
【発明を実施するための形態】
【００２４】
以下、本発明の一実施形態を、図１〜図１３を参照して説明する。なお、以下の説明及び図においては、同一の要素には同一の符号を付し、重複する説明を省略する。なお、「地域」とは、国、未承認国、地方公共団体、地方、海、山等、地図上に表示され、同じ性質をもっているなどの理由からひとまとめにされる土地や海等をいうが、下記の実施形態では、便宜上、「地域」を狭義の意味で使用し、国として承認されない地域や、国や当該地域内の一区域を指すものとして使用することとする。
【００２５】
［構成］
図１には、一実施形態に係る情報提示システム３０の外観が示されている。この図１に示されるように、情報提示システム３０は、可搬型情報処理装置１０と、ベース装置２０とを備えている。
【００２６】
上記の可搬型情報処理装置１０は、ベース装置２０に着脱可能に装着されるようになっている。本実施形態においては、可搬型情報処理装置１０には、タッチペン１９が付属するようになっている。
【００２７】
上記のベース装置２０は、地球儀状となっている。このベース装置２０は、球状の地図体２１と、読取ユニット２６とを備えている。
【００２８】
上記の地図体２１の表面には、世界地図表示と、予め定められた格子密度（例えば、５ｍｍ角）で、世界地図表示の可視性を損なわない材質のインクで、格子配置位置に対応する情報のコード表示とが印刷されており。ここで、当該インクは、可視光波長の範囲では透過性を有しているが、所定の波長の光に対しては反射性を有するようになっている。
【００２９】
なお、本実施形態では、格子配置位置に対応する情報は、当該格子配置位置が含まれる国名その他の地域名(以下国名等)、及び／又は、当該格子配置位置の緯度経度の情報となっている。
【００３０】
また、上記の読取ユニット２６は、上述したインクにより反射される波長の光（例えば、赤外光）を射出する。当該射出光が地図体２１上のコード表示により反射された光が入射すると、読取ユニット２６は、入射光が形成する像を読み取る。そして、読取ユニット２６は、読み取られたコード表示の情報を、可搬型情報処理装置１０へ向けて出力する。
【００３１】
なお、図１には、本実施形態における利用者の想定視線方向が白抜矢印により示される。すなわち、本実施形態では、地図体２１の中心位置を、ベース装置２０に装着された可搬型情報処理装置１０の垂直上方から水平方向に視る方向を想定視線方向としている。
【００３２】
図２には、情報提示システム３０における可搬型情報処理装置１０及びベース装置２０の機能構成が示されている。
【００３３】
＜可搬型情報処理装置１０の構成＞
可搬型情報処理装置１０は、図２に示されるように、処理制御ユニット１１と、記憶ユニット１２と、音声出力ユニット１３と、集音ユニット１４とを備えている。また、可搬型情報処理装置１０は、表示ユニット１５と、押圧位置検出ユニット１６と、撮影ユニット１７と、コネクタ１８とを備えている。
【００３４】
上記の処理制御ユニット１１は、中央処理装置（ＣＰＵ）及びその周辺回路を備えて構成されている。当該処理制御ユニット１１は、プログラムを実行することにより様々な処理を実行する。そして、処理制御ユニット１１が実行する処理により、情報提示システム３０による情報提示機能が発揮されるようになっている。
【００３５】
なお、処理制御ユニット１１が実行する情報提示処理については、後述する。
【００３６】
上記の記憶ユニット１２は、不揮発性の記憶素子を備えて構成されている。この記憶ユニット１２は、可搬型情報処理装置１０において利用される様々な情報が記憶される。こうした記憶ユニット１２に記憶される情報には、地図表示情報、並びに、国その他の地域(以下国等)のそれぞれに関連付けられた国等のそれぞれの特徴的なコンテンツの情報が含まれている。記憶ユニット１２には、処理制御ユニット１１がアクセス可能となっている。
【００３７】
上記の音声出力ユニット１３は、スピーカを備えて構成されている。この音声出力ユニット１３は、処理制御ユニット１１から送られた出力音声データを受ける。そして、音声出力ユニット１３は、当該出力音声データに応じた音声を出力する。
【００３８】
上記の集音ユニット１４は、マイクロフォンを備えて構成されている。この集音ユニット１４は、処理制御ユニット１１による制御のもとで、周囲音を入力する。集音ユニット１４による集音結果は、デジタルデータとして、処理制御ユニット１１へ送られる。
【００３９】
上記の表示ユニット１５は、液晶パネル等の表示デバイスを備えて構成されている。この表示ユニット１５、処理制御ユニット１１から送られた表示データを受ける。そして、表示ユニット１５は、当該表示データに応じた画像を表示する。
【００４０】
上記の押圧位置検出ユニット１６は、透明部材からなる感圧センサを備えて構成され、表示ユニット１５の液晶パネル上に配置される。この押圧位置検出ユニット１６は、タッチペン１９、利用者の指等による押圧がなされると、押圧位置を検出する。押圧位置検出ユニット１６による検出結果は、デジタルデータとして、処理制御ユニット１１へ送られる。
【００４１】
上記の撮影ユニット１７は、カメラデバイスを備えて構成されている。この撮影ユニット１７は、処理制御ユニット１１による制御のもとで、周囲画像を撮影する。撮影ユニット１７による撮影結果は、デジタルデータとして、処理制御ユニット１１へ送られる。
【００４２】
上記のコネクタ１８は、ベース装置２０の後述するコネクタ２７と、着脱可能に嵌合するようになっている。このコネクタ１８を利用することにより、可搬型情報処理装置１０は、ベース装置２０に着脱自在に装着できるようになっている。また、可搬型情報処理装置１０（より詳しくは、処理制御ユニット１１）は、コネクタ１８を介して、電気接触（コネクタ接続）タイプの接続で、ベース装置２０との間で情報信号の授受（通信）ができるようになっている。
【００４３】
なお、処理制御ユニット１１は、不図示の接続センサを利用して、可搬型情報処理装置１０がベース装置２０に装着されているか否かを検出できるようになっている。
【００４４】
＜ベース装置２０の構成＞
ベース装置２０は、図２に示されるように、上述した地図体２１及び読取ユニット２６に加えて、回転位置検出ユニット２２と、回転駆動ユニット２３と、コネクタ２７とを備えている。このベース装置２０は、地図体２１と一体に構成されていてもよいし、地図体２１に対して着脱可能に構成されていてもよい。要は、ベース装置２０が表示ユニット１５と通信可能であり、ベース装置２０を介して地図体２１と表示ユニット１５との間で情報が授受できればよい。
【００４５】
上記の回転位置検出ユニット２２は、地図体２１の回転位置を検出する。なお、本実施形態では、上述した想定視線方向と地図体２１とが交差する点が基準回転位置（例えば、緯度＝０°及び経度＝０°）からの相対回転角を検出するようになっている。回転位置検出ユニット２２による検出結果は、回転位置情報として、可搬型情報処理装置１０（より詳しくは、処理制御ユニット１１）及び回転駆動ユニット２３へ向けて出力される。
【００４６】
上記の回転駆動ユニット２３は、モータ等の回転駆動素子を備えて構成されている。この回転駆動ユニット２３は、可搬型情報処理装置１０（より詳しくは、処理制御ユニット１１）が発行した回転指令を受ける。なお、本実施形態では、回転指令には、少なくとも基準回転位置の緯度が指定されるようになっている。
【００４７】
回転駆動ユニット２３は、回転指令に応じた回転を地図体２１に行わせる。本実施形態では、回転駆動ユニット２３は、回転位置検出ユニット２２による検出結果を参照しつつ、地図体２１を回転駆動する。
【００４８】
なお、本実施形態では、回転駆動ユニット２３による回転駆動が行われていない期間には、利用者が手動で地図体を任意に回転できるようになっている。
【００４９】
上記のコネクタ２７は、読取ユニット２６と接続される第１端子、回転位置検出ユニット２２と接続される第２端子、及び、回転駆動ユニット２３と接続される第３端子を備えている。このコネクタ２７に、可搬型情報処理装置１０のコネクタ１８が嵌勘されると、読取ユニット２６、回転位置検出ユニット２２及び回転駆動ユニット２３と、可搬型情報処理装置１０（より詳しくは、処理制御ユニット１１）との間で情報信号の授受ができるようになる。
【００５０】
［動作］
次に、上記のように構成された情報提示システム３０の動作について、処理制御ユニット１１が実行する情報提示処理に主に着目して説明する。
【００５１】
処理制御ユニット１１は、可搬型情報処理装置１０の電源が投入されると、情報提示処理を開始する。かかる情報提示処理に際しては、図３に示されるように、まず、ステップＳ１１において、処理制御ユニット１１が、可搬型情報処理装置１０がベース装置２０に装着されているか否かを判定する。
【００５２】
ステップＳ１１における判定の結果が肯定的であった場合（ステップＳ１１：Ｙ）には、処理はステップＳ１２へ進む。このステップＳ１２では、処理制御ユニット１１が、装着時地図表示処理を行う。なお、当該装着時地図表示処理では、後述する装着時コンテンツ選択画面が表示ユニット１５に表示されるようになっている。
【００５３】
なお、装着時地図表示処理の詳細については後述する。
【００５４】
次に、ステップＳ１３において、処理制御ユニット１１が、装着時コンテンツ提示処理を行う。かかる装着時コンテンツ提示処理に際して、処理制御ユニット１１は、装着時コンテンツ選択画面又はコンテンツ提示画面に表示されたコンテンツ選択ボタンの選択に応じて、後述するようにして指定された国等の特徴的なコンテンツを提示する。
【００５５】
なお、コンテンツ提示は、音声出力ユニット１３及び／又は表示ユニット１５を利用した音声出力及び／又は画像表示により行われる。また、コンテンツ選択ボタンの選択は、利用者が所望のコンテンツ選択ボタンの表示位置を、タッチペン１９、利用者の指等による押圧することにより行われる。
【００５６】
そして、指定された国等に関連するコンテンツ提示が終了すると、ステップＳ１３の処理が終了する。この後、処理はステップＳ１１へ戻る。
【００５７】
上述したステップＳ１１における判定の結果が否定的であった場合（ステップＳ１１：Ｎ）には、処理はステップＳ１４へ進む。このステップＳ１４では、処理制御ユニット１１が、非装着時地図表示処理を行う。なお、非装着時地図表示処理の詳細については後述する。
【００５８】
次に、ステップＳ１５において、処理制御ユニット１１が、非装着時コンテンツ提示処理を行う。そして、指定された国等に関連するコンテンツ提示が終了すると、ステップＳ１５の処理が終了する。この後、処理はステップＳ１１へ戻る。
【００５９】
以後、ステップＳ１１〜Ｓ１５の処理が繰り返される。この結果、情報提示システム３０が行われる。
【００６０】
《装着時地図表示処理》
次に、ステップＳ１２における装着時地図表示処理について説明する。
【００６１】
装着時地図表示処理に際しては、図４に示されるように、まず、ステップＳ２１において、処理制御ユニット１１が、回転位置検出ユニット２２により検出された地図体２１の回転位置を取得する。引き続き、ステップＳ２２において、処理制御ユニット１１が、取得された回転位置に応じた地球半球地図を表示ユニット１５に表示させる。
【００６２】
次に、ステップＳ２３において、処理制御ユニット１１が、地図体２１における地図上の位置、又は、表示ユニット１５における表示地図上の位置が指定されたか否かを判定する。
【００６３】
ここで、処理制御ユニット１１は、地図体２１における地図上の位置が指定されたか否かの判定を、読取ユニット２６により読み取られたコード表示の情報を受けたか否かを判定することにより行う。また、処理制御ユニット１１は、表示地図上の位置が指定されたか否かの判定を、タッチペン１９、利用者の指等による押圧が、表示地図上の同一位置について所定時間（例えば、２秒）以上にわたって行われたか否かを判定することにより行う。
【００６４】
なお、地球半球地図の表示中に、タッチペン１９、利用者の指等による押圧位置が、画面における横方向に連続的に変化した場合には、処理制御ユニット１１は、地球半球地図を東西方向に沿って変化させる。一方、地球半球地図の表示中に、タッチペン１９、利用者の指等による押圧位置が、画面における縦方向に連続的に変化した場合には、処理制御ユニット１１は、地球半球地図を南北方向に沿って変化させる。
【００６５】
ステップＳ２３における判定の結果が否定的であった場合（ステップＳ２３：Ｎ）には、処理はステップ２４へ進む。このステップＳ２４では、処理制御ユニット１１が、新たに地図体の回転位置を取得する。
【００６６】
引き続き、ステップＳ２５において、処理制御ユニット１１が、地図体２１の回転位置が変化したか否かを判定する。ステップＳ２５における判定の結果が否定的であった場合（ステップＳ２５：Ｎ）には、処理はステップＳ２３へ戻る。
【００６７】
ステップＳ２５における判定の結果が肯定的であった場合（ステップＳ２５：Ｙ）には、処理はステップＳ２６へ進む。このステップＳ２６では、処理制御ユニット１１が、変化後の回転位置に応じた地球半球地図を表示ユニット１５に表示させる。こうして、ステップＳ２５の処理が終了すると、処理はステップＳ２３へ戻る。
【００６８】
以上のステップＳ２１〜Ｓ２６の処理により、地図体２１の回転に連動して、表示ユニット１５における地球半球地図の表示が変化するようになっている。なお、不図示ではあるが、本実施形態では、タッチペン１９、利用者の指等による押圧位置の連続的な変化に応じた地球半球地図の表示変化に連動して地図体２１の回転位置を、回転駆動ユニット２３を利用して変化させる制御を、処理制御ユニット１１が行うようになっている。
【００６９】
ステップＳ２３における判定の結果が肯定的となると（ステップＳ２３：Ｙ）、処理はステップＳ２７へ進む。このステップＳ２７では、処理制御ユニット１１が、地図上の位置の指定が、地図体２１上の位置の指定であるか否かを判定する。
【００７０】
ステップＳ２７における判定の結果が肯定的であった場合（ステップＳ２７：Ｙ）には、処理はステップＳ２８へ進む。このステップＳ２８では、処理制御ユニット１１が、第１地図表示処理を行う。こうして、ステップＳ２８の処理が終了すると、ステップＳ１２の処理が終了し、処理は、上述した図３のステップＳ１３へ進む。なお、第１地図表示処理の詳細については、後述する。
【００７１】
一方、ステップＳ２７における判定の結果が否定的であった場合（ステップＳ２７：Ｎ）には、処理はステップＳ２９へ進む。このステップＳ２９では、処理制御ユニット１１が、第２地図表示処理を行う。こうして、ステップＳ２９の処理が終了すると、ステップＳ１２の処理が終了し、処理は、図３のステップＳ１３へ進む。なお、第２地図表示処理の詳細については、後述する。
【００７２】
（第１地図表示処理）
次いで、ステップＳ２８における第１地図表示処理について説明する。
【００７３】
第１地図表示処理に際しては、図５に示されるように、ステップＳ３１において、処理制御ユニット１１が、指定された地図上の位置を含む国等が中央部位置に拡大表示された装着時コンテンツ選択画面を、表示ユニット１５に表示させる。こうしてステップＳ３１の処理が終了すると、ステップＳ２８の処理が終了することにより、ステップＳ１２の処理が終了し、処理は、図３のステップＳ１３へ進む。
【００７４】
（第２地図表示処理）
次に、ステップＳ２９における第２地図表示処理について説明する。
【００７５】
第２地図表示処理に際しては、図６に示されるように、ステップＳ４１において、処理制御ユニット１１が、指定位置の周辺の広域地図が拡大表示された地図を表示ユニット１５に表示させる。第２地図表示処理において広域地図を表示するのは、地図体２１の位置指定においては、国等の面積が指定に際して国等を正確の指定できる程度の大きさを有するのに対して、表示ユニット１５における地球半球地図における国等の面積が指定に際して国等を正確の指定できる程度には大きくない場合が殆どであることによる。
【００７６】
なお、国等の面積が小さく、当該拡大された広域地図においても正確な指定に困難がある国等については、当該国等を指定するためのアイコンが、当該広域地図に合わせて表示されるようになっている。
【００７７】
次に、ステップＳ４２において、処理制御ユニット１１が、表示された広域地図の領域が利用者の想定視野内に入るように、地図体２１を回転させる制御を行う。この結果、表示地図上の指定位置を含む広域地図の領域が、利用者の想定視野内に入るようになる。
【００７８】
次いで、ステップＳ４３において、処理制御ユニット１１が、表示された広域地図上の位置の指定、又は、アイコンの選択により国等が指定されたか否かを判定する。ステップＳ４３における判定の結果が否定的であった場合（ステップＳ４３：Ｎ）には、ステップＳ４３の処理が繰り返される。
【００７９】
国等が指定され、ステップＳ４３における判定の結果が肯定的となると（ステップＳ４３：Ｙ）、処理はステップ４４へ進む。このステップＳ４４では、上述したステップＳ３１の場合と同様に、処理制御ユニット１１が、指定された国等が中央部位置に拡大表示された装着時コンテンツ選択画面を、表示ユニット１５に表示させる。こうしてステップＳ４４の処理が終了すると、ステップＳ２９の処理が終了することにより、ステップＳ１２の処理が終了し、処理は、図３のステップＳ１３へ進む。
【００８０】
なお、図７には、ステップＳ２８の第１地図表示処理による表示の遷移例が示されている。この図７に示されるように、本実施形態では、図７（Ａ）に示される地球半球地図表示から、図７（Ｂ）に示されるモザイク上のぼかし地図表示を経て、図７（Ｃ）に示される、指定された国等（図７（Ｃ）ではイタリア国）が中央部位置に拡大表示された装着時コンテンツ選択画面に遷移するようになっている。
【００８１】
ここで、図７（Ｃ）における「Ａ」〜「Ｄ」は、提示されるコンテンツの種類を選択するためのアイコンとなっている。こうした提示されるコンテンツの種類は、例えば、国等の概要情報、世界遺産、文化、後述するようにして収集されたコンテンツ等がある。
【００８２】
また、図８には、ステップＳ２８の第２地図表示処理による表示の遷移例が示されている。ここで、図８（Ａ）には地球半球地図表示が示され、図８（Ｂ）には広域地図表示が示され、図８（Ｃ）には、指定された国等（図７（Ｃ）ではイタリア国）が中央部位置に拡大表示された装着時コンテンツ選択画面が示されている。
【００８３】
図９（Ａ）には、図７（Ｃ）又は図８（Ｃ）に示される装着時コンテンツ選択画面において、提示されるコンテンツの種類として、「世界遺産」が選択された場合に、上述したステップＳ１３の処理により提示される表示例が示されている。また、図９（Ｂ）には、図７（Ｃ）又は図８（Ｃ）に示される装着時コンテンツ選択画面において、提示されるコンテンツの種類として、「収集されたコンテンツ（図９の場合には、ピザ画像）」が選択された場合に、上述したステップＳ１３の処理により提示される表示例が示されている。
【００８４】
なお、図９には、コンテンツ提示例として画像を示したが、画像及び／又は音声のコンテンツを提示するようにしてもよい。また、本実施形態では、コンテンツ表示時においても、他の種類のコンテンツ提示を選択することができるようになっている。
【００８５】
＜非装着時地図表示処理＞
次に、上述した図３のステップＳ１４における非装着時地図表示処理について説明する。なお、当初においては、表示ユニット１５には、地球半球地図が表示されている。
【００８６】
非装着時地図表示処理に際しては、図１０に示されるように、まず、ステップＳ５１において、処理制御ユニット１１が、表示中の地球半球地図上の位置が指定されたか否かを判定する。かかる判定に際して、処理制御ユニット１１は、上述した図４のステップＳ２３の場合と同様に、表示地図上の位置が指定されたか否かの判定を、タッチペン１９、利用者の指等による押圧が、表示地図上の同一位置について所定時間（例えば、２秒）以上にわたって行われたか否かを判定することにより行う。
【００８７】
なお、非装着時地図表示処理においても、上述した装着時地図表示処理の場合と同様に、地球半球地図の表示中に、タッチペン１９、利用者の指等による押圧位置が、画面における横方向に連続的に変化した場合には、処理制御ユニット１１は、地球半球地図を東西方向に沿って変化させる。一方、地球半球地図の表示中に、タッチペン１９、利用者の指等による押圧位置が、画面における縦方向に連続的に変化した場合には、処理制御ユニット１１は、地球半球地図を南北方向に沿って変化させる。
【００８８】
ステップＳ５１における判定の結果が否定的であった場合（ステップＳ５１：Ｎ）には、ステップＳ５１の処理が繰り返される。ステップＳ５１における判定の結果が肯定的となると（ステップＳ５１：Ｙ）、処理はステップＳ５２へ進む。このステップＳ５２では、上述したステップＳ４１の場合と同様に、処理制御ユニット１１が、指定位置の周辺の広域地図が拡大表示された地図を表示ユニット１５に表示させる。
【００８９】
次に、ステップＳ５３において、上述したステップＳ４３の場合と同様に、処理制御ユニット１１が、表示された広域地図上の位置の指定、又は、アイコンの選択により国等が指定されたか否かを判定する。ステップＳ５３における判定の結果が否定的であった場合（ステップＳ５３：Ｎ）には、ステップＳ５３の処理が繰り返される。
【００９０】
国等が指定され、ステップＳ５３における判定の結果が肯定的となると（ステップＳ５３：Ｙ）、処理はステップ５４へ進む。このステップＳ５４では、処理制御ユニット１１が、指定された国等が中央部位置に拡大表示された非装着時コンテンツ選択画面を、表示ユニット１５に表示させる。こうしてステップＳ５４の処理が終了すると、ステップＳ１４の処理が終了し、処理は、図３のステップＳ１５へ進む。
【００９１】
以上の非装着時地図表示処理により、表示画像は、上述した図８（Ｃ）の装着時コンテンツ選択画面に代えて、図１１に例示される非装着時コンテンツ選択画面が表示されることを除いて、図８に示した装着時地図表示の遷移例と同様に、表示画像が遷移する。なお、非装着時コンテンツ選択画面は、装着時コンテンツ選択画面と比べて、コンテンツ情報収集アイコンが追加して表示されるようになっている。図１１においては、当該アイコンが「Ｅ」として表されている。
【００９２】
＜非装着時コンテンツ提示処理＞
次いで、ステップＳ１５における非装着時コンテンツ提示処理について説明する。
【００９３】
かかる非装着時コンテンツ提示処理に際しては、図１２に示されるように、まず、ステップＳ６１において、処理制御ユニット１１が、指定された国等のコンテンツ提示処理を終了するか否かを判定する。ステップＳ６１における判定の結果が肯定的であった場合（ステップＳ６１：Ｙ）には、ステップＳ１５の処理が終了する。そして、処理は、上述した図３のステップＳ１１へ戻る。
【００９４】
一方、ステップＳ６１における判定の結果が否定的であった場合（ステップＳ６１：Ｎ）には、処理はステップＳ６２へ進む。このステップＳ６２では、処理制御ユニット１１が、コンテンツ情報収集アイコンが選択されたか否かを判定する。ステップＳ６２における判定の結果が肯定的であった場合（ステップＳ６２：Ｙ）には、処理はステップＳ６３へ進む。
【００９５】
ステップＳ６３では、処理制御ユニット１１は、利用者の指示に従って、画像及び／又は音声のコンテンツを、撮影ユニット１７及び／又は集音ユニット１４を制御して収集する。そして、処理制御ユニット１１は、収集されたコンテンツの情報を、指定されている国等に関連付けて、記憶ユニット１２内に更新登録する。こうしてステップＳ６３の処理が終了すると、処理はステップＳ６１へ戻る。
【００９６】
上述したステップＳ６２における判定の結果が否定的であった場合（ステップＳ６２：Ｎ）には、処理はステップＳ６４へ進む。このステップＳ６４では、処理制御ユニット１１が、コンテンツ選択ボタンのいずれかが選択されたか否かを判定する。ステップＳ６４における判定の結果が否定的であった場合（ステップＳ６４：Ｎ）には、処理はステップＳ６１へ戻る。
【００９７】
ステップＳ６４における判定の結果が肯定的であった場合（ステップＳ６４：Ｙ）には、処理はステップＳ６５へ進む。このステップＳ６４では、処理制御ユニット１１が、上述したステップＳ１３の場合と同様に、コンテンツ選択ボタンの選択に応じて、指定された国等の特徴的なコンテンツを提示する。
【００９８】
図１３（Ａ）には、図１１に示される非装着時コンテンツ選択画面において、提示されるコンテンツの種類として、「世界遺産」が選択された場合に、ステップＳ６５の処理により提示される表示例が示されている。また、図１３（Ｂ）には、図１１に示される非装着時コンテンツ選択画面において、図１１に示される装着時コンテンツ選択画面において、提示されるコンテンツの種類として、「収集されたコンテンツ（図１３の場合には、ピザ画像）」が選択された場合に、ステップＳ６５の処理により提示される表示例が示されている。
【００９９】
図１３（Ａ）及び図１３（Ｂ）の表示例と、上述した図９（Ａ）及び図９（Ｂ）と比較すると判るように、非装着時コンテンツ提示画面には、装着時コンテンツ提示画面の表示加えて、コンテンツ情報収集アイコンＩＥが追加されて表示されるようになっている。すなわち、非装着時コンテンツ提示画面の表示中であってもコンテンツ情報収集アイコンＩＥを選択して、コンテンツ情報の収集を行うことができるようになっている。
【０１００】
以上説明したように、本実施形態の情報提示システム１０では、可搬型情報処理装置１０が備える処理制御ユニット１１が、ベース装置２０に当該可搬型情報処理装置１０が装着されている状態で、利用者により指定されたベース装置２０が備える地図体２１上の位置に対応した情報を取得した場合に、取得した情報に基づいて、当該指定された地図体２１上の地図位置を中央部付近とする地図表示を含む表示画像へ遷移させる制御を行う。この後は、例えば、利用者が、地図表示を含む表示画像に表示されたメニュー一覧の中から所望のメニューを選択する。この結果、当該所望のメニューに応じて、指定された地図体上の位置に対応した国等の特徴的なコンテンツの情報が画像を含む態様により、利用者に提示される。
【０１０１】
また、処理制御ユニット１１、ベース装置２０に可搬型情報処理装置１０が装着されているか否かにかかわらず、表示ユニット１５における表示地図上の地図位置が利用者により指定された場合に、指定された表示地図上の地図位置を中央部付近とする地図表示を含む表示画像へ遷移させる。この後は、上述した地図体上の位置に対応した情報を取得した場合と同様にして、指定された地図体上の位置に対応した国等の特徴的なコンテンツの情報が画像を含む態様により、利用者に提示される。
【０１０２】
したがって、本実施形態によれば、国等のそれぞれに関する情報の提示に際して、利用者の利便性を向上させることができる。
【０１０３】
本実施形態では、地図体２１の表面には、世界地図表示と、予め定められた格子密度で地図体の表面に配置され、格子配置位置に対応する情報の表示とが印刷されており、ベース装置２０の読取ユニット２６が、利用者が選択した地図体２１の表面の位置の近傍の情報を読み取り、読み取られた情報を可搬型情報処理装置１０へ向けて出力する。このため、簡易な構成で、利用者が選択した地図体２１の表面の位置の近傍の情報を可搬型情報処理装置１０へ送ることができる。
【０１０４】
また、本実施形態では、可搬型情報処理装置１０が、利用者が選択した国等に関連する新たなコンテンツの情報を収集する収集ユニット１４，１７を備え、処理制御ユニット１１は、当該新たなコンテンツの情報を、対応する国等の特徴的なコンテンツの情報として、記憶ユニット１２内に追加登録する制御を更に行う。このため、利用者の趣味感に応じて、国等のそれぞれの特徴的なコンテンツの情報を豊富化することができる。
【０１０５】
また、本実施形態では、ベース装置２０が、地図体２１の回転位置を検出する回転位置検出ユニット２２を更に備え、処理制御ユニット１１が、地球半球地図表示時に、回転位置検出ユニット２２による検出結果に応じた地球半球地図を表示ユニット１５に表示させる制御を行う。このため、地図体２１の回転に対して、表示ユニット１５における表示画像が有機的に関連付けられるので、利用者の楽しみを広げることができる。
【０１０６】
また、本実施形態では、ベース装置２０が、地図体を回転駆動する回転駆動ユニット２３を更に備え、処理制御ユニット１１が、表示ユニット１５における表示地図上の位置が利用者により指定されると、当該指定された表示地図上の位置に対応する地図体２１上の位置が、想定される利用者の視野内に入る回転位置とさせる制御をベース装置２０に対して行う。このため、表示ユニット１５における表示画像に対して、地図体２１の回転が有機的に関連付けられるので、利用者の楽しみを広げることができる。
【０１０７】
［実施形態の変形］
本発明は、上記の実施形態に限定されるものではなく、様々な変形が可能である。
【０１０８】
例えば、上記の実施形態では、可搬型情報処理装置の処理制御ユニットが、直接的にベース装置が備える読取ユニット、回転位置検出ユニット及び回転駆動ユニットとの間で情報信号の授受を行うようにした。これに対し、ベース装置に集線機能を有し、読取ユニット、回転位置検出ユニット及び回転駆動ユニットと接続された資源を設けるようにし、当該資源と当該処理制御ユニットとの通信により、当該処理制御ユニットと、読取ユニット、回転位置検出ユニット及び回転駆動ユニットとの間で情報の授受を行うようにしてもよい。
【０１０９】
また、ベース装置が国等のそれぞれに関連付けられた国等のそれぞれの特徴的なコンテンツの情報を記憶する大容量記憶ユニットを備えるようにし、可搬型情報処理装置が適宜、当該大容量記憶ユニットから、大容量記憶ユニットに記憶された国等のそれぞれに関連付けられた国等のそれぞれの特徴的なコンテンツの情報の所望の一部をダウンロードするようにしてもよい。
【０１１０】
また、上記の実施形態では、ベース装置に可搬型情報処理装置を装着するためのコネクタを介して、電気接触タイプの接続で、ベース装置と可搬型情報処理装置との間で情報の授受を行うための通信を行うようにした。これに対し、装着用のコネクタとは別途に、情報授受用のコネクタをベース装置及び可搬型情報処理装置に設けるようにし、当該情報授受用のコネクタ間を信号ケーブルで接続する有線タイプの接続で、ベース装置と可搬型情報処理装置との間で情報の授受を行うための通信を行うようにしてもよい。さらに、無線タイプの接続で、ベース装置と可搬型情報処理装置との間で情報の授受を行うための通信を行うようにしてもよい。
【０１１１】
また、上記の実施形態では、地図体の表面の位置の指定のために、地図体の表面の各位置に印刷されたコード情報を読取ユニットにより読み取るようにした。これに対し、地図体の表面の位置の指定のために、タッチスイッチが配置されるようにしてもよいし、トラックボール等の３次元位置指定デバイスを利用するようにしてもよい。
【０１１２】
また、上記実施形態では、地図体は球状に構成され、地図体には、地域として国その他の地域が表示されるようにしたが、地図体は平面的であってもよいし、また、表示される地域は一の国や当該国内の区域であってもよい。
【０１１３】
さらに、上記実施形態では、ベース装置に回転位置検出ユニット及び回転駆動ユニットを設け、地図体の回転位置を検出したり、地図体を回転させたりしたが、それに加えて、記憶ユニット及び音声出力ユニットと、演算や全体を統括制御する処理制御ユニットとを設けてもよい。そして、表示ユニットがベース装置に繋がっているか否かを検出し、表示ユニットがベース装置に繋がっていない状態では、読取ユニットで読み込まれたコードに基づいて、ベース装置の記憶ユニットに記憶されたデータを読み出して地域の特徴的なコンテンツの情報をベース装置の音声出力ユニットが音声出力するようにするようにし、表示ユニットがベース装置に繋がっている状態では、読取ユニットで読み込まれたコードを可搬型情報処理装置に送るようにしてもよい。この場合の電源は外部電源であってもよいし、電池等の内部電源であってもよい。
また、この場合、可搬型情報処理装置で収集した音声出力し得る情報のデータをもベース装置の記憶ユニットに記憶させさせることとしてもよい。
さらに、上記実施形態では、ベース装置と読取ユニットとを別に設けているが、ベース装置に読取ユニット、記憶ユニット及び音声出力ユニット等を組み込み、ベース装置自体を例えばペン型等にして読取手段として機能させ、そのベース装置で地図体から地域名等を読み取るようにしてもよい。この場合、ベース装置に表示ユニットをも設けて、情報を表示させることもできる。また、この場合のベース装置と可搬型情報処理装置との通信は、無線で行ってもよい。なお、ベース装置に通信ユニットを組み込む際には、回転駆動ユニって及び回転位置検出ユニットは除いてもよい。
【符号の説明】
【０１１４】
１０      可搬型情報処理装置
１１      処理制御ユニット（制御ユニット）
１２      記憶ユニット
１３      音声出力ユニット
１４      集音ユニット（収集ユニットの一部）
１５      表示ユニット
１６      押圧位置検出ユニット
１７      撮影ユニット（収集ユニットの一部）
１８      コネクタ
１９      タッチペン
２０      ベース装置
２１      地図体
２２      回転位置検出ユニット
２３      回転位置検出ユニット
２６      読取ユニット
２７      コネクタ
【図１】
2020101656.tif 000003
【図２】
2020101656.tif 000004
【図３】
2020101656.tif 000005
【図４】
2020101656.tif 000006
【図５】
2020101656.tif 000007
【図６】
2020101656.tif 000008
【図７】
2020101656.tif 000009
【図８】
2020101656.tif 000010
【図９】
2020101656.tif 000011
【図１０】
2020101656.tif 000012
【図１１】
2020101656.tif 000013
【図１２】
2020101656.tif 000014
【図１３】
2020101656.tif 000015